(57)【要約】【課題】  カードの挿脱作業性を向上させることができると共に、カード装着部からカードが抜け出さないように確実に係止することができるカード装着装置を提供する。【解決手段】  カード装着部１２にメモリカード１４を挿脱する際に、カードガイド固定部材１３を展開させて開くことにより、このカードガイド固定部材１３によってメモリカード１４をガイドしてカード装着部１２に挿脱させることができる。また、メモリカード１４を挿入した後は、カードガイド固定部材１３を折り返すことにより、この折り返されたカードガイド固定部材１３によってメモリカード１４がカード装着部１２から抜け出さないように係止することができる。このため、メモリカード１４を円滑にガイドすることができるので、メモリカード１４の挿脱作業性を向上させることができると共に、カード装着部１２からメモリカード１４が抜け出さないように確実に係止することができる。【選択図】        図４
2011095981.tif 000002
【特許請求の範囲】
【請求項１】
機器本体内に配置され、この機器本体内においてカードがスライド可能に装着して電気的に接続されるカード装着部と、
このカード装着部のカード挿入口側における近傍に折り返し可能に配置され、前記カード装着部に対して前記カードを挿脱する際に、展開して前記カードをガイドしながらスライドさせ、前記カードが前記カード装着部に挿入された際に、折り返されて前記カードを係止するカードガイド固定部材と、
を備えていることを特徴とするカード装着装置。
【請求項２】
前記カードガイド固定部材は、前記カード装着部の前記カード挿入口側における近傍に固定された固定部と、この固定部に対して折返し可能に重なる可動部と、この可動部を前記固定部に折り返し可能に連結する折返し部とを備え、
前記可動部は、前記カード装着部に対して前記カードを挿脱する際に、前記折返し部により展開して前記カードをガイドしながらスライドさせ、前記カードが前記カード装着部に挿入された際に、前記折返し部により折り返されて前記カードを係止することを特徴とする請求項１に記載のカード装着装置。
【請求項３】
前記可動部は、前記折返し部により前記固定部に対し展開して開いた際に、前記カードを前記カード装着部にガイドするガイド面と、前記折返し部により前記固定部に対し折り返されて重なった際に、前記カード装着部に挿入された前記カードの外端部を係止するストッパ部とを備えていることを特徴とする請求項２に記載のカード装着装置。
【請求項４】
前記ガイド面は、前記可動部を展開させて開いた際に、前記カード装着部から離れるに従って徐々に高くなるスロープ状に傾斜することを特徴とする請求項３に記載のカード装着装置。
【請求項５】
前記可動部は、前記折返し部で折り返されて前記固定部に重なった際に、前記可動部を前記固定部に対して固定する係合部を備えていることを特徴とする請求項２〜請求項４のいずれかに記載のカード装着装置。
【請求項６】
前記固定部は、前記機器本体内に配置された基板とこの基板に対向する前記機器本体の一部との間に、挟持される複数の固定突起部を備えていることを特徴とする請求項２〜請求項５のいずれかに記載のカード装着装置。
【請求項７】
前記カードガイド固定部材は、薄肉成形可能な合成樹脂によって一体に成形されていることを特徴とする請求項１〜請求項６のいずれかに記載のカード装着装置。
【発明の詳細な説明】
【技術分野】
【０００１】
この発明は、携帯情報端末機や携帯電話機、パーソナルコンピュータなどの電子機器に用いられるカード装着装置に関する。
【背景技術】
【０００２】
従来、電子機器に用いられるカード装着装置においては、特許文献１に記載されているように、メモリカードが挿脱可能に挿入するカード装着部と、このカード装着部に装着されたメモリカードの抜け出しを防ぐためのカード抜け防止部とを備えた構成のものが知られている。
【先行技術文献】
【特許文献】
【０００３】
【特許文献１】特開２００７−２５０４８８号公報
【０００４】
この種のカード装着装置は、メモリカードが挿入するカード装着部のカード挿入口側にカード抜け防止部を設け、メモリカードをカード装着部に挿入する際に、カード抜け防止部をメモリカードの挿入領域外に移動させ、この状態でメモリカードをカード装着部に挿入すると、カード抜け防止部が元の位置に戻り、メモリカードの端部を係止してメモリカードがカード装着部から抜け出さないように構成されている。
【０００５】
この場合、カード抜け防止部は、例えば、ステンレスなどの薄い金属板かなり、カード装着部のカード挿入口に設けられたアーム部と、このアーム部の先端をほぼ直角に折り曲げたストッパ部とからなり、アーム部を撓み変形させることにより、先端のストッパ部をメモリカードの挿入領域外に移動させ、メモリカードがカード装着部に挿入した際に、アーム部が弾性復帰して先端のストッパ部を元の位置に戻し、このストッパ部によってメモリカードの端部を係止するように構成されている。
【発明の概要】
【発明が解決しようとする課題】
【０００６】
しかしながら、このような従来のカード装着装置では、メモリカードをカード装着部に挿入した際に、カード抜け防止部によってカード装着部からメモリカードが抜け出さないように係止することができても、メモリカードをカード装着部に対して挿脱する際に、カード抜け防止部が邪魔になり、メモリカードを円滑にガイドすることができないため、メモリカードの挿脱作業性が悪いという問題がある。
【０００７】
この発明が解決しようとする課題は、カードの挿脱作業性を向上させることができると共に、カード装着部からカードが抜け出さないように確実に係止することができるカード装着装置を提供することである。
【課題を解決するための手段】
【０００８】
この発明は、上記課題を解決するために、次のような構成要素を備えている。
請求項１に記載の発明は、機器本体内に配置され、この機器本体内においてカードがスライド可能に装着して電気的に接続されるカード装着部と、このカード装着部のカード挿入口側における近傍に折り返し可能に配置され、前記カード装着部に対して前記カードを挿脱する際に、展開して前記カードをガイドしながらスライドさせ、前記カードが前記カード装着部に挿入された際に、折り返されて前記カードを係止するカードガイド固定部材と、を備えていることを特徴とするカード装着装置である。
【０００９】
請求項２に記載の発明は、前記カードガイド固定部材が、前記カード装着部の前記カード挿入口側における近傍に固定された固定部と、この固定部に対して折返し可能に重なる可動部と、この可動部を前記固定部に折り返し可能に連結する折返し部とを備え、前記可動部は、前記カード装着部に対して前記カードを挿脱する際に、前記折返し部により展開して前記カードをガイドしながらスライドさせ、前記カードが前記カード装着部に挿入された際に、前記折返し部により折り返されて前記カードを係止することを特徴とする請求項１に記載のカード装着装置である。
【００１０】
請求項３に記載の発明は、前記可動部が、前記折返し部により前記固定部に対し展開して開いた際に、前記カードを前記カード装着部にガイドするガイド面と、前記折返し部により前記固定部に対し折り返されて重なった際に、前記カード装着部に挿入された前記カードの外端部を係止するストッパ部とを備えていることを特徴とする請求項２に記載のカード装着装置である。
【００１１】
請求項４に記載の発明は、前記ガイド面が、前記可動部を展開させて開いた際に、前記カード装着部から離れるに従って徐々に高くなるスロープ状に傾斜することを特徴とする請求項３に記載のカード装着装置である。
【００１２】
請求項５に記載の発明は、前記可動部が、前記折返し部で折り返されて前記固定部に重なった際に、前記可動部を前記固定部に対して固定する係合部を備えていることを特徴とする請求項２〜請求項４のいずれかに記載のカード装着装置である。
【００１３】
請求項６に記載の発明は、前記固定部が、前記機器本体内に配置された基板とこの基板に対向する前記機器本体の一部との間に、挟持される複数の固定突起部を備えていることを特徴とする請求項２〜請求項５のいずれかに記載のカード装着装置である。
【００１４】
請求項７に記載の発明は、前記カードガイド固定部材が、薄肉成形可能な合成樹脂によって一体に成形されていることを特徴とする請求項１〜請求項６のいずれかに記載のカード装着装置である。
【発明の効果】
【００１５】
この発明によれば、カード装着部に対してカードを挿脱する際に、カードガイド固定部材を展開させて開くことにより、このカードガイド固定部材によってカードをガイドしてカード装着部に挿脱させることができ、またカードを挿入した後は、カードガイド固定部材を折り返すことにより、この折り返されたカードガイド固定部材によってカードがカード装着部から抜け出さないように係止することができる。このため、カードを円滑にガイドすることができるので、カードの挿脱作業性を向上させることができると共に、カード装着部からカードが抜け出さないように確実に係止することができる。
【図面の簡単な説明】
【００１６】
【図１】この発明を携帯端末機に適用した一実施形態を示した正面図である。
【図２】図１の携帯端末機を裏面側から見た斜視図である。
【図３】図２の携帯端末機において電池蓋を取り外した状態を示した斜視図である。
【図４】図３の電池収納部内を示した要部の拡大斜視図である。
【図５】図４の電池収納部の下側に配置されたカード装着装置を示した要部の拡大斜視図である。
【図６】図５のカード装着装置におけるカードガイド固定部材を展開させて開いた状態を示した拡大斜視図である。
【図７】図４のＡ−Ａ矢視における拡大断面図である。
【図８】図４のＢ−Ｂ矢視における拡大断面図である。
【図９】図４のカード装着装置においてカードガイド固定部材を展開して開いた状態を示した要部の拡大斜視図である。
【図１０】図９において電池収納部の下側に配置されたカード装着装置を示した要部の拡大斜視図である。
【図１１】図９のＣ−Ｃ矢視における拡大断面図である。
【図１２】図４の状態において電池収納部内に電池を収納した状態を示した要部の拡大斜視図である。
【発明を実施するための形態】
【００１７】
以下、図１〜図１２を参照して、この発明を携帯端末機に適用した一実施形態について説明する。
この携帯端末機は、ＰＤＡ（パーソナル・デジタル・アシスタント）であり、図１に示すように、機器本体１を備えている。この機器本体１は、上部ケース２と下部ケース３とで構成されている。
【００１８】
上部ケース２の上面には、図１に示すように、入力表示部４とキー入力部５とが設けられている。入力表示部４は、透明なタッチパネルの下に表示パネルを重ね合わせたものであり、透明なタッチパネルを通して表示パネルに表示された情報を見ながら、透明なタッチパネルをタッチペンでタッチ操作することにより、情報が入力されるように構成されている。キー入力部５は、テンキー、決定キーなどの各種のキーを備え、この各種のキーをキー操作することにより、そのキー操作に応じて情報を入力するように構成されている。
【００１９】
また、下部ケース３には、図２に示すように、電池蓋６が着脱可能に取り付けられている。この電池蓋６は、図３に示すように、キー入力部５に対応する機器本体１内に設けられて、下部ケース３の下面（図３では上面）に開放された電池収納部７を開閉可能に塞ぐように構成されている。この電池収納部７は、その内部にリチウムイオン電池などの電池８（図１１参照）が着脱可能に収納されるように構成されている。
【００２０】
この電池収納部７の底部７ａの下側には、図３〜図５に示すように、カード装着装置１０が配置されており、このカード装着装置１０の下側には、キー入力部５に対応するスイッチ基板１１が配置されている。この場合、電池収納部７の底部７ａには、開口部９がカード装着装置１０の一部およびスイッチ基板１１の一部に対応して設けられている。これにより、カード装着装置１０の一部およびスイッチ基板１１の一部は、開口部９を通して電池収納部７内に露出している。
【００２１】
スイッチ基板１１の裏面（図４および図５では上面）には、図４に示すように、カード装着装置１０が対応する箇所を除いて、電子部品１１ａが設けられている。このスイッチ基板１１の表面（図５では下面）には、キー入力部５のキー操作に応じてスイッチ信号を出力するための多数の接点部（図示せず）が設けられている。また、このスイッチ基板１１は、機器本体１内に設けられて機器全体を電気的に制御するための回路基板（図示せず）に電気的に接続されている。
【００２２】
一方、カード装着装置１０は、図４〜図１１に示すように、機器本体１内におけるスイッチ基板１１と電池収納部７の底部７ａとの間に配置されたカード装着部１２と、このカード装着部１２のカード挿入口１２ａ側（図４では右側）における近傍に折り返し可能に配置されたカードガイド固定部材１３とを備えている。カード装着部１２は、ＳＤカードやＳＩＭカードなどのメモリカード１４が挿脱可能に装着するコネクタである。
【００２３】
すなわち、このカード装着部１２は、図４および図５に示すように、機器本体１内の電池収納部７内から開口部９を通してメモリカード１４がスライド可能に装着して電気的に接続されるものであり、スイッチ基板１１と電気的に接続された状態で、スイッチ基板１１と電池収納部７の底部７ａとの間に配置されている。この場合、カード装着部１２は、そのカード挿入口１２ａ側が電池収納部７の開口部９に対応して電池収納部７内に露出するように構成されている。
【００２４】
カードガイド固定部材１３は、図４〜図６に示すように、カード装着部１２のカード挿入口１２ａ側に位置して電池収納部７の開口部９から電池収納部７内に露出した状態で、スイッチ基板１１上に配置されている。このカードガイド固定部材１３は、図５および図６に示すように、カード装着部１２のカード挿入口１２ａ側における近傍に固定される固定部１５と、この固定部１５に対して折返し可能に重なる可動部１６と、この可動部１６を固定部１５に対して折り返し可能に連結する折返し部１７とを備えている。
【００２５】
この場合、折返し部１７は、肉厚が薄く形成された屈曲部分であり、固定部１５と可動部１６との境界部分に設けられている。このため、カードガイド固定部材１３は、肉厚の薄い薄肉成形が可能な合成樹脂、例えばポリプロピレン、ポリアセタール、塩化ビニルなどの合成樹脂によって、固定部１５、可動部１６、および折返し部１７の全てが一体に成形されている。この場合、合成樹脂としては、靭性が高く、自己潤滑性を有するポリプロピレンが好ましい。
【００２６】
固定部１５は、図６に示すように、ほぼ平板状に形成されており、その四隅には、固定突起部１５ａが設けられている。この固定突起部１５ａは、図６〜図８に示すように、スイッチ基板１１と電池収納部７の底部７ａとの間に挟まれることにより、固定部１５を固定するように構成されている。また、この固定部１５は、図５〜図７に示すように、カード装着部１２のカード挿入口１２ａ側に位置するカード載置部１５ｂと、可動部１６が折り返されて重なる重なり部１５ｃと、その両者の間に傾斜して形成された傾斜部１５ｄとを備えている。
【００２７】
カード載置部１５ｂは、図５に示すように、カード装着部１２にメモリカード１４が装着された際に、カード装着部１２のカード挿入口１２ａから外部に突出したメモリカード１４の後部を載置する平坦部であり、図７および図１１に示すように、カード挿入口１２ａの下部と同じ高さになるように、その厚みが薄く形成されている。
【００２８】
また、このカード載置部１５ｂの両側部には、図５〜図１１に示すように、メモリカード１４の両側部をガイドするためのガイド部１５ｅが設けられている。重なり部１５ｃは、図７および図１１に示すように、その厚みがカード載置部１５ｂよりも厚く形成された平坦部である。傾斜部１５ｄは、カード載置部１５ｂから重なり部１５ｃに向けて次第に厚みが厚くなるように緩やかに傾斜した状態で形成されている。
【００２９】
一方、可動部１６は、図９〜図１１に示すように、カード装着部１２に対してメモリカード１４を挿脱する際に、折返し部１７により展開して開き、メモリカード１４をガイドしながらスライドさせ、また、図４、図５および図７に示すように、メモリカード１４がカード装着部１２に挿入された際に、折返し部１７により折り返されてメモリカード１４の外端部１４ａを係止するように構成されている。
【００３０】
すなわち、可動部１６は、図９〜図１１に示すように、折返し部１７により固定部１５に対し展開して開いた際に、メモリカード１４をカード装着部１２にガイドするためのガイド面１８と、図４〜図７に示すように、折返し部１７により固定部１５に対し折り返されて重なった際に、カード装着部１２に挿入されたメモリカード１４の外端部１４ａを係止する一対のストッパ部１９とを備えている。
【００３１】
ガイド面１８は、図９〜図１１に示すように、可動部１６が折返し部１７を中心に開いて展開した際に、カード装着部１２から離れるに従って徐々に高くなるスロープ状に傾斜するように形成されている。この場合、ガイド面１８は、折返し部１７を介して固定部１５の重なり部１５ｃと固定部１５の傾斜部１５ｄとに連続する。これにより、可動部１６と固定部１５とは、可動部１６が折返し部１７を中心に開いて展開した際に、可動部１６のガイド面１８から固定部の傾斜部１５ｄに亘って連続するスロープを形成するように構成されている。
【００３２】
一対のストッパ部１９は、図５〜図７に示すように、可動部１６の先端部（図５では左端部）における両側に設けられ、可動部１６が折返し部１７によって折り返されて固定部１５の重なり部１５ｃに重なった際に、固定部１５の傾斜部１５ｄにおける両側に配置され、カード装着部１２に挿入されてカード挿入口１２ａから突出したメモリカード１４の外端部１４ａに当接して係止するように構成されている。
【００３３】
また、この可動部１６は、図９〜図１１に示すように、折返し部１７を中心に開いて展開した際に、スイッチ基板１１に設けられた電子部品１１ａ上に配置されて、電子部品１１ａを保護するように構成されている。この場合、ガイド面１８と反対側に位置する可動部１６の外面には、図４および部５に示すように、スイッチ基板１１に設けられた電子部品１１ａが挿入する部品逃げ凹部２０が設けられている。
【００３４】
また、この可動部１６の先端両側（図６では上端両側）には、図６および図８に示すように、可動部１６が折返し部１７で折り返されて固定部１５の重なり部１５ｃに重なった際に、電池収納部７の開口部９の縁部に係脱可能に係止されて可動部１６を固定部１５に対し固定するための一対の係合部２１が設けられている。さらに、この可動部１６の先端下部（図６では上端下部）には、図６〜図１０に示すように、折返し部１７を中心に可動部１６を開いて展開させる際に、指を掛けるための指掛け凹部２２が、一対のストッパ部１９の間に位置して設けられている。
【００３５】
次に、この携帯端末機のカード装着装置１０の作用について説明する。
メモリカード１４をカード装着部１２に装着する場合には、まず、カードガイド固定部材１３の可動部１６を折返し部１７によって開く。このときには、電池収納部７の開口部９を通して可動部１６の先端部に設けられた指掛け凹部２２に指を掛け、この状態で電池収納部７の開口部９の縁部に係止された可動部１６の一対の係合部２１による係止力に抗して、可動部１６を引き上げる。
【００３６】
すると、電池収納部７の開口部９内において、可動部１６が折返し部１７を中心に回転して開き、図１１に示すように、可動部１６がスイッチ基板１１の電子部品１１ａ上に配置される。このときには、可動部１６の部品逃げ凹部２０にスイッチ基板１１の電子部品１１ａが挿入し、可動部１６のガイド面１８が固定部１５に向けて徐々に下がるように緩やかに傾斜した状態になる。
【００３７】
この状態で、電池収納部７内にメモリカード１４を挿入しながら可動部１６のガイド面１８に沿ってスライドさせる。すると、メモリカード１４は、ガイド面１８によってガイドされながら、固定部１５の重なり部１５ｃから傾斜部１５ｄに沿ってスライドし、メモリカード１４が固定部１５のカード載置部１５ｂに送り込まれる。このときには、スイッチ基板１１の電子部品１１ａが可動部１６によって覆われているので、電子部品１１ａを傷付けたり破損したりせずに、メモリカード１４をカード装着部１２に向けて送り込むことができる。
【００３８】
このように、メモリカード１４が固定部１５のカード載置部１５ｂに送り込まれると、メモリカード１４の両側部がカード載置部１５ｂのガイド部１５ｅによってガイドされながら、カード装着部１２のカード挿入口１２ａからカード装着部１２内に挿入される。これにより、メモリカード１４がカード装着部１２に装着されて電気的に接続される。このときには、メモリカード１４はその後部側がカード挿入口１２ａから外部に突出し、この突出した後部が固定部１５のカード載置部１５ｂに配置される。
【００３９】
この状態で、可動部１６を折返し部１７で折り返して固定部１５の重なり部１５ｃ上に重ね合わせると、可動部１６の一対の係合部２１が電池収納部７の開口部９の縁部に係止されて可動部１６が固定部１６に対し固定される。このときには、図５および図７に示すように、可動部１６の一対のストッパ部１９が固定部１５の傾斜部１５ｄ上における両側に配置される。これにより、一対のストッパ部１９は、カード挿入口１２ａから突出して固定部１５のカード載置部１５ｂに配置されたメモリカード１４の外端部１４ａに当接してメモリカード１４がカード装着部１２から抜け出さないように、メモリカード１４の外端部１４ａを係止する。
【００４０】
この後、図１２に示すように、電池収納部７内に電池８を収納し、図２に示すように、電池収納部７に電池蓋６を取り付ける。この状態では、機器本体１が落下などによる外部からの衝撃を受けても、メモリカード１４の外端部１４ａが係止されているので、外部からの衝撃によってメモリカード１４がカード装着部１２から抜け出すことがなく、メモリカード１４がカード装着部１２に装着されて電気的に接続された状態を良好に維持することができる。
【００４１】
次に、メモリカード１４をカード装着部１２から取り出す場合について説明する。
このときには、まず、電池収納部７から電池蓋６を取り外して電池８を取り出す。すると、カード装着装置１０の一部であるカード装着部１２のカード挿入口１２ａおよびカードガイド固定部材１３が、電池収納部７の開口部９を通して露出する。この状態で、電池収納部７の開口部９を通して可動部１６の先端部に設けられた指掛け凹部２２に指を掛け、この状態で電池収納部７の開口部９の縁部に係止された可動部１６の一対の係合部２１による係止力に抗して、可動部１６を引き上げる。
【００４２】
すると、図９に示すように、可動部１６が折返し部１７を中心に回転して開く。このときには、可動部１６の一対のストッパ部１９が固定部１５から離れ、一対のストッパ部１９によるメモリカード１４の係止が解除される。また、このときには、可動部１６がスイッチ基板１１の電子部品１１ａ上に配置され、可動部１６の部品逃げ凹部２０にスイッチ基板１１の電子部品１１ａが挿入し、可動部１６のガイド面１８が固定部１５に向けて徐々に下がるように緩やかに傾斜した状態になる。
【００４３】
この状態で、メモリカード１４をカード装着部１２から引き出す。このときには、電池収納部７の開口部９を通して指を固定部１５のカード載置部１５ｂに位置するメモリカード１４に押し付けて可動部１６のガイド面１８に向けてスライドさせる。すると、メモリカード１４は、固定部１５の傾斜部１５ｄから重なり部１５ｃに沿ってスライドした後、可動部１６のガイド面１８によってガイドされながらスライドする。
【００４４】
これにより、メモリカード１４が固定部１５のカード載置部１５ｂから引き出されて可動部１６のガイド面１８に移動する。このときにも、スイッチ基板１１の電子部品１１ａが可動部１６によって覆われているので、電子部品１１ａを傷付けたり破損したりせずに、メモリカード１４をカード装着部１２から取り外して電池収納部７の開口部９から取り出すことができる。
【００４５】
このように、この携帯端末機のカード装着装置１０によれば、機器本体１内に配置され、この機器本体１内においてメモリカード１４がスライド可能に装着して電気的に接続されるカード装着部１２と、このカード装着部１２のカード挿入口１２ａ側における近傍に折り返し可能に配置され、カード装着部１２に対してメモリカード１４を挿脱する際に、展開してメモリカード１４をガイドしながらスライドさせ、メモリカード１４がカード装着部１２に挿入された際に、折り返されてメモリカード１４を係止するカードガイド固定部材１３と、を備えた構成であるから、メモリカード１４の挿脱作業性を向上させることができると共に、カード装着部１２からメモリカード１４が抜け出さないように確実に係止することができる。
【００４６】
すなわち、このカード装着装置１０では、カード装着部１２に対してメモリカード１４を挿脱する際に、カードガイド固定部材１３を展開させて開くことにより、このカードガイド固定部材１３によってメモリカード１４をガイドしてカード装着部１２に挿脱させることができ、またメモリカード１４を挿入した後は、カードガイド固定部材１３を折り返すことにより、この折り返されたカードガイド固定部材１３によってメモリカード１４がカード装着部１２から抜け出さないように係止することができる。このため、メモリカード１４を円滑にガイドすることができるので、機器本体１の電池収納部７内における狭い領域でも、メモリカード１４の挿脱作業性を向上させることができると共に、カード装着部１２からメモリカード１４が抜け出さないように確実に係止することができる。
【００４７】
また、カードガイド固定部材１３は、カード装着部１２のカード挿入口１２ａ側における近傍に固定された固定部１５と、この固定部１５に対して展開可能に重なる可動部１６と、この可動部１６を固定部１５に折り返し可能に連結する折返し部１７とを備え、可動部１６が、カード装着部１２に対してメモリカード１４を挿脱する際に、折返し部１７により展開してメモリカード１４をガイドしながらスライドさせ、メモリカード１４がカード装着部１２に挿入された際に、折返し部１７により折り返されてメモリカード１４を係止する構成であるから、構造が簡単で、カード装着装置１０全体の薄型化を図ることができ、これにより機器本体１内に設けられたスイッチ基板１１と、このスイッチ基板１１に対応して機器本体１内に設けられた電池収納部７との間における狭いスペースに、カード装着装置１０を良好に且つコンパクトに設置することができる。
【００４８】
また、可動部１６は、折返し部１７により固定部１５に対し展開して開いた際に、メモリカード１４をカード装着部１２にガイドするガイド面１８を備えているので、カード装着部１２にメモリカード１４を挿脱する際に、可動部１６のガイド面１８によってメモリカード１４を円滑に且つ良好にガイドすることができる。この場合、可動部１６は、折返し部１７により固定部１５に対し展開して開いた際に、スイッチ基板１１の電子部品１１ａ上に配置されるので、メモリカード１６をガイド面１８に沿ってスライドさせても、電子部品１１ａを傷付けたり破損したりせずに、メモリカード１４を良好に挿脱させることができ、これによってもメモリカード１４の挿脱作業性を向上させることができる。
【００４９】
また、可動部１６は、折返し部１７により固定部１５に対し折り返されて重なった際に、カード装着部１２に挿入されたメモリカード１４の外端部１４ａを係止する一対のストッパ部１９を備えているので、カード装着部１２に挿入されたメモリカード１４の外端部１４ａを一対のストッパ部１９によって確実に係止することができ、これにより機器本体１が落下などの衝撃を受けても、その衝撃によってメモリカード１４が勝手に抜け出さないようにすることができる。
【００５０】
また、可動部１６のガイド面１８は、可動部１６を折返し部１７によって開いて展開した際に、カード装着部１２から離れるに従って徐々に高くなるスロープ状に傾斜することにより、電池収納部７内の狭い場所でも、カード装着部１２にメモリカード１４を挿脱する際に、メモリカード１４を円滑にスライドさせることができるので、メモリカード１４の挿脱作業性が良く、使い勝手の良いものを提供することができる。この場合、可動部１６には、これが折返し部１７によって展開して開いた際に、スイッチ基板１１の電子部品１１ａが挿入する部品逃げ凹部２０が設けられていることにより、可動部１６のガイド面１８を固定部１５に向けて徐々に下がるように緩やかに傾斜させることができるので、これによってもメモリカード１４を円滑にスライドさせることができる。
【００５１】
また、可動部１６は、折返し部１７で折り返されて固定部１５に重なった際に、電池収納部７の開口部９の縁部に係脱可能に係止されて、固定部１５に対して可動部１６を固定する一対の係合部２１を備えているので、可動部１６を折返し部１７で折り返して固定部１５に重ねるだけで、一対の係合部２１によって可動部１６を固定部１５に対して固定することができ、これにより可動部１６の一対のストッパ部１９によって確実にメモリカード１４の外端部１４ａを係止させることができる。
【００５２】
また、固定部１５は、機器本体１内に配置されたスイッチ基板１１とこのスイッチ基板１１に対向する機器本体１の電池収納部７の底部７ａとの間に、挟持される複数の固定突起部１５ａを備えているので、ビスなどの締結部材を用いずに、固定部１５をスイッチ基板１１と電池収納部７の底部７ａとの間に簡単に固定することができ、これによりカードガイド固定部材１３を機器本体１内に確実に組み付けることができる。
【００５３】
さらに、カードガイド固定部材１３は、薄肉成形可能な合成樹脂によって成形されていることにより、固定部１５、可動部１６、折返し部１７を一体に形成することができると共に、折返し部１７を折返し可能な薄肉形状に形成することができる。この場合、薄肉成形可能な合成樹脂が、ポリプロピレンであれば、靭性が高く、自己潤滑性に優れているので、耐久性の高いものを提供することができる。
【００５４】
なお、上述した実施形態では、電子機器として、ＰＤＡ（パーソナル・デジタル・アシスタント）である携帯端末機に適用した場合について述べたが、必ずしも携帯端末機である必要はなく、例えば携帯電話機、電子カメラ、電子辞書などの携帯型の電子機器にも適用することができるほか、携帯型の電子機器に限らず、電子レジスタやパーソナルコンピュータなどの各種の電子機器にも広く適用することができる。
【符号の説明】
【００５５】
１  機器本体
２  上部ケース
３  下部ケース
６  電池蓋
７  電池収納部
７ａ  電池収納部の底部
８  電池
９  開口部
１０  カード装着装置
１１  スイッチ基板
１２  カード装着部
１３  カードガイド固定部材
１４  メモリカード
１５  固定部
１５ａ  固定突起部
１６  可動部
１７  折返し部
１８  ガイド面
１９  一対のストッパ部
２０  部品逃げ凹部
２１  一対の係合部
【図１】
2011095981.tif 000003
【図２】
2011095981.tif 000004
【図３】
2011095981.tif 000005
【図４】
2011095981.tif 000006
【図５】
2011095981.tif 000007
【図６】
2011095981.tif 000008
【図７】
2011095981.tif 000009
【図８】
2011095981.tif 000010
【図９】
2011095981.tif 000011
【図１０】
2011095981.tif 000012
【図１１】
2011095981.tif 000013
【図１２】
2011095981.tif 000014